(57)【特許請求の範囲】
【請求項１】
目盛板上で摘み部材の回転により限時時間を設定する設定指針と、パルスモータの動作で前記設定指針の位置から零点位置間で移動可能な可動指針と、前記パルスモータを駆動するモータ駆動回路とを有し、前記モータ駆動回路を、発振回路の出力を時間仕様切替手段に応じたパルスに変換する計数回路の出力で駆動する可動指針型タイマであって、
前記時間仕様切替手段による時間仕様の切り替えを、外部より行うようにしたことを特徴とする可動指針型タイマ。
【請求項２】
前記時間仕様切替手段が、
ケース外から回転操作が可能であって、表面に切り替える時間を表示した切替用回転部材と、
周部に前記切替用回転部材に設けた切替時間表示に対応した切替時間表示を有し且つ切替時間を目盛板の表示窓より表出させると共に、前記切替用回転部材に連動する切替用表示部材と、
前記切替用回転部材と前記切替用表示部材とのいずれか一方に設けられて回転により時間仕様設定用の切替パターンを切り替えるスイッチ部とを備えた請求項１に記載の可動指針型タイマ。
【請求項３】
前記時間仕様切替手段が、
ケース外から回転操作が可能であって、表面に切り替える時間を表示した切替用回転部材と、周部に前記切替用回転部材に設けた切替時間表示に対応した切替時間表示を有し且つ切替時間を目盛板の表示窓より表出させると共に、回転により時間仕様設定用の切替パターンを切り替えるスイッチ部とを有する切替用表示部材と、前記切替用回転部材に連結され且つこの切替用回転部材の回転を前記切替用表示部材に伝達する切替用中間部材とを備えた請求項１に記載の可動指針型タイマ。
【請求項４】
前記切替用表示部材及び切替用中間部材とを、それぞれの支軸を基板に設けた支承孔に回転可能に挿入して並べて配置し、前記切替用表示部材及び前記切替用中間部材とを、互いのギヤ部を噛み合わせ、前記切替用表示部材の裏面に摺動子を設けて、前記摺動子を前記基板に搭載した時間仕様切替用の切替パターンに摺接し、切替用押えカバーを前記基板に係止して、前記切替用表示部材及び前記切替用中間部材を回転可能に保持し、前記切替用押えカバーに設けた位置決め用フックを前記切替用表示部材の周部に設けた位置決め用溝部に係脱可能に係止した請求項３に記載の可動指針型タイマ。
【発明の詳細な説明】
【０００１】
【発明の属する技術分野】
本発明は、可動指針型タイマに関するものである。
【０００２】
【従来の技術】
従来の可動指針型タイマとしては、図１９に示すものがある。この可動指針型タイマは、ケース２００の前面に目盛板２０１と風防ガラス２０２Ａを有するフロントカバー２０２とを設け、目盛板２０１の中央に設けた孔部（図示せず）からクラッチ２２４の従動軸２０３を突出して、この従動軸２０３に可動指針２０４を取り付け、また、風防ガラス２０２Ａの中央に孔部（図示せず）を設けて、この孔部に摘み部材２０５を回転可能に取り付け、この摘み部材２０５に設定指針２０６を取り付け、ケース２００内に、商用電源に同期した一定速度で回転する同期モータ２２２と、この同期モータ２２２の出力軸に連係した減速機２２３と、この減速機２２３の出力側に連係したクラッチ２２４とを設けたものである。
【０００３】
そして、タイマ動作の開始と共に商用電源の周波数に同期した一定速度で同期モータ２２２が回転を始める。これに伴って、同期モータ２２２は、その回転数を減速機２２３で減速されて駆動軸２２５を回転させる。ゼロ点検出用マイクロスイッチ２２６の接点は、接点押圧レバー２２７によって押圧されていないから、クラッチコイル２２８は通電されていない。
【０００４】
したがって、従動軸２０３と駆動軸２２５とはクラッチ２２４を介して接続されているので、従動軸２０３は、駆動軸２２５の回転に連動して回転させられる。これによって、可動指針２０４が目盛板２０１上を設定指針２０６の設定時限位置からゼロ点位置方向に向けて移動する。
【０００５】
可動指針２０４が設定時限の経過と同時にゼロ点位置に到達すると、接点押圧レバー２２７がゼロ点検出用マイクロスイッチ２２６の接点を押圧し、クラッチコイル２２８が通電させられる。
【０００６】
これによって、クラッチコイル２２８は、クラッチ２２４の噛合いを離反させるべく駆動軸２２５を引き下げ、従動軸２０３と駆動軸２２５との結合を解除させる。その結果、従動軸２０３は復帰スプリング２２９の復元力で回転して、可動指針２０４は設定指針２０６の目盛位置まで復帰移動させられる。
【０００７】
可動指針２０４が設定指針２０６の目盛位置まで復帰移動させられると、接点押圧レバー２２７がゼロ点検出用マイクロスイッチ２２６の接点から離れる。そのために、クラッチコイル２２８には通電されなくなって再びクラッチ２２４が入り、従動軸２０３と駆動軸２２５とはクラッチ２２４を介して接続される。
【０００８】
【発明が解決しようとする課題】
しかしながら、上記した従来の可動指針型タイマにあっては、時間使用の変更、切替は、減速機２２３の減速比を変えることで実施されていた。減速機２２３のギヤは配置が決まっているために、減速比と、変更した時間表示との連動が難しく、所定の減速比を出すためにギヤを追加等しなければならず、部品点数が増え、機構が複雑になるという問題点があった。
【０００９】
本発明は、上記の問題点に着目して成されたものであって、その目的とするところは、時間仕様の切替が外部より行うことができて、切替操作を容易に行うことができるばかりか、従来例における減速機の減速比を変えて時間仕様を変更する場合に比べて、変更した時間表示との連動が容易になり、また、ギヤの追加等のようなことがなく機構的に簡素化することができる可動指針型タイマを提供することにある。
【００１０】
【課題を解決するための手段】
上記の目的を達成するために、請求項１の発明に係る可動指針型タイマは、目盛板上で摘み部材の回転により限時時間を設定する設定指針と、パルスモータの動作で前記設定指針の位置から零点位置間で移動可能な可動指針と、前記パルスモータを駆動するモータ駆動回路とを有し、前記モータ駆動回路を、発振回路の出力を時間仕様切替手段に応じたパルスに変換する計数回路の出力で駆動する可動指針型タイマであって、前記時間仕様切替手段による時間仕様の切り替えを、外部より行うようにしたことを特徴とする。
【００１１】
かかる構成により、時間仕様の切替が外部より行うことができて、切替操作を容易に行うことができる。しかも、パルスモータの回転を変更して時間仕様を変える場合には、計数回路で、発振回路の出力を時間仕様切替手段に応じたパルスに変換し、モータ駆動回路に入力すればよく、従来例における減速機の減速比を変えて時間仕様を変更する場合に比べて、変更した時間表示との連動が容易になり、また、ギヤの追加等のようなことがなく機構的に簡素化することができる。
【００１２】
また、上記の目的を達成するために、請求項２の発明に係る可動指針型タイマは、請求項１に記載の可動指針型タイマにおいて、前記時間仕様切替手段が、ケース外から回転操作が可能であって、表面に切り替える時間を表示した切替用回転部材と、周部に前記切替用回転部材に設けた切替時間表示に対応した切替時間表示を有し且つ切替時間を目盛板の表示窓より表出させると共に、前記切替用回転部材に連動する切替用表示部材と、前記切替用回転部材と前記切替用表示部材とのいずれか一方に設けられて回転により時間仕様設定用の切替パターンを切り替えるスイッチ部とを備えた。
【００１３】
かかる構成により、上記した請求項１の発明に係る可動指針型タイマの作用効果と同様な作用効果を奏し得るばかりか、切替用回転部材を回転操作すると、切替用表示部材が回転する。したがって、切替用回転部材において、この表面に表示された分（ｍｉｎ）なる文字を、例えば、ケースの外面に設けた三角印に合わせると、切替用表示部材の周部に表示された分（ｍｉｎ）なる文字が、目盛板の表示用窓に表出する。
【００１４】
これと同時に、スイッチ部が時間仕様用の切替パターンを切り替えて、計数回路によりパルス駆動信号のパルスを変更してモータ駆動回路に入力する。
【００１５】
このように、従来例における減速機の減速比を変えて時間仕様を変更する場合に比べて、変更した時間表示との連動が容易になり、また、ギヤの追加等のようなことがなく機構的に簡素化することができる。
【００１６】
また、上記の目的を達成するために、請求項３の発明に係る可動指針型タイマは、請求項１に記載の可動指針型タイマにおいて、前記時間仕様切替手段が、ケース外から回転操作が可能であって、表面に切り替える時間を表示した切替用回転部材と、周部に前記切替用回転部材に設けた切替時間表示に対応した切替時間表示を有し且つ切替時間を目盛板の表示窓より表出させると共に、回転により時間仕様設定用の切替パターンを切り替えるスイッチ部とを有する切替用表示部材と、前記切替用回転部材に連結され且つこの切替用回転部材の回転を前記切替用表示部材に伝達する切替用中間部材とを備えた。
【００１７】
かかる構成により、切替用回転部材を回転操作すると、切替用中間部材が回転し、切替用表示部材が回転する。したがって、切替用回転部材において、この表面に表示された分（ｍｉｎ）なる文字を、例えば、ケースの外面に設けた三角印に合わせると、切替用表示部材の周部に表示された分（ｍｉｎ）なる文字が、目盛板の表示用窓に表出する。これと同時に、スイッチ部が時間仕様用の切替パターンを切り替えて、計数回路によりパルス駆動信号のパルスを変更してモータ駆動回路に入力する。
【００１８】
このように、従来例における減速機の減速比を変えて時間仕様を変更する場合に比べて、変更した時間表示との連動が容易になり、また、ギヤの追加等のようなことがなく機構的に簡素化することができる。
【００１９】
また、切替用回転部材は切替用中間部材に連結されており、時限設定用の切替パターンを切り替えるスイッチ部は切替用表示部材に設けてあるために、外部から切替用回転部材を操作すべく、この切替用回転部材を押圧・回転させても、スイッチ部には押圧・回転力が直接に作用することがなく、このスイッチ部の故障等を防止することができる。また、切替用中間部材があることにより、切替用回転部材の切り替え操作位置から切替用表示部材の表示位置との間の距離が大きくなって、切替用回転部材の切り替え操作をケースの外から行うことに相俟って、この操作が容易になる。
【００２０】
また、上記の目的を達成するために、請求項４の発明に係る可動指針型タイマは、請求項３に記載の可動指針型タイマにおいて、前記切替用表示部材及び切替用中間部材とを、それぞれの支軸を基板に設けた支承孔に回転可能に挿入して並べて配置し、前記切替用表示部材及び前記切替用中間部材とを、互いのギヤ部を噛み合わせ、前記切替用表示部材の裏面に摺動子を設けて、前記摺動子を前記基板に搭載した時間仕様切替用の切替パターンに摺接し、切替用押えカバーを前記基板に係止して、前記切替用表示部材及び前記切替用中間部材を回転可能に保持し、前記切替用押えカバーに設けた位置決め用フックを前記切替用表示部材の周部に設けた位置決め用溝部に係脱可能に係止した。
【００２１】
かかる構成により、切替用回転部材を回転操作すると、切替用中間部材が回転し、この切替用中間部材にギヤ部で噛み合っている切替用表示部材が回転する。したがって、切替用回転部材において、この表面に表示された分（ｍｉｎ）なる文字を、例えば、ケースの外面に設けた三角印に合わせると、切替用表示部材の周部に表示された分（ｍｉｎ）なる文字が、目盛板の表示用窓に表出する。この場合に、位置決め用フックが、分（ｍｉｎ）なる文字の位置の相当する位置決め用溝部に係止する。
【００２２】
これと同時に、前記摺動子が基板に搭載した時間仕様切替用の切替パターンに摺接して切替パターンを切り替えて、計数回路によりパルス駆動信号のパルスを変更してモータ駆動回路に入力する。
【００２３】
このように、従来例における減速機の減速比を変えて時間仕様を変更する場合に比べて、変更した時間表示との連動が容易になり、また、ギヤの追加等のようなことがなく機構的に簡素化することができる。
【００２４】
【発明の実施の形態】
以下、本発明に係る可動指針型タイマを、図面を参照して説明する。
【００２５】
本発明に係る可動指針型タイマの実施の形態を図１乃至図１８に示す。可動指針型タイマＴはモータタイマであり、そのブロック構成は、図４に示すように端子台部１と、この端子台部１の出力側に接続された電源回路２と、この電源回路２の出力側に接続された制御回路３と、この制御回路３により制御されるパルスモータ（ステッピングモータ）４と、このパルスモータ４の出力側に減速ギヤ列１０を介して接続されたクラッチ手段５と、このクラッチ手段５の出力側に設けられた表示部６と、制御回路（マイクロコンピュータ）３の出力側に設けられた出力回路１４と、クラッチ手段５を制御する検出手段１３とで構成してある。
【００２６】
そして、より詳しくは、可動指針型タイマＴにおいては、図５に示すように端子台部１の第１端子▲１▼と第２端子▲２▼とに電源回路２の入力側が接続してあり、この電源回路２の出力側は、制御回路３内の発振回路（発振手段）７の入力側に接続してあり、この発振回路７の出力側は計数回路８の入力側に接続してある。この計数回路８には時間仕様切替スイッチ（時間仕様切替手段）８Ａの出力側が接続してある。この計数回路８の出力側はモータ駆動回路９の入力側に接続してある。
【００２７】
モータ駆動回路９により駆動されるパルスモータ４の出力側には減速ギヤ列１０を介してクラッチ手段５としてクラッチＫの駆動側が接続してあり、このクラッチＫの被駆動側には表示部６の可動指針１２が接続してある。そして、クラッチＫには断続作動部（図示せず）が設けてあり、この断続作動部の駆動電源は前記電源回路２とは別構成のクラッチ用電源回路２−１の出力側から供給を受けている。
【００２８】
表示部６には検出手段１３である零点検出回路１３Ａが設けてあり、この零点検出回路１３Ａの出力側に出力回路１４が接続してあり、この出力回路１４の出力側には限時固定出力リレー１５の入力側に接続してある。また、出力回路１４の出力側には表示回路１７に接続してあり、この表示回路１７の出力側にはパワー表示部１８及びタイムアップ表示部１９が接続してある。また、クラッチ用電源回路２−１の出力側には、瞬時出力リレー１６の入力側が接続してある。なお、２０は設定指針（固定指針）である。
【００２９】
また、限時固定出力リレー１５は端子台１の第３、第４、第５端子▲３▼、▲４▼、▲５▼に接続してあり、瞬時出力リレー１６は端子台７１の第６、第７、第８端子▲６▼、▲７▼、▲８▼に接続してある。また、電源回路２は端子台１の第１、第２▲１▼、▲２▼に接続してあり、クラッチ用電源回路２−１は端子台１の第９、第１０端子▲９▼、◆に接続してある。
【００３０】
すなわち、可動指針型タイマＴは、目盛板１１上で摘み部材８６の回転により限時時間を設定する設定指針８１と、パルスモータ４の動作で設定指針８１の位置から零点位置間で移動可能な可動指針２０と、この可動指針２０が零点位置まで移動したことを検出する零点検出回路１３Ａと、この零点検出回路１３Ａに応答して限時出力を発生する出力回路１４とを有し、パルスモータ４のモータ駆動回路９と零点検出回路１３Ａ及び出力回路１４とをマイクロコンピュータで制御するようにしてある。
【００３１】
そして、モータ駆動回路９は、発振回路７の出力を時間仕様切替スイッチ８Ａに応じたパルスに変換する計数回路８の出力で駆動されるし、零点検出回路１３Ａは、ホール素子であるホールＩＣ２４−１の出力で駆動されると共に、出力回路１３Ａに信号を送り限時固定出力リレー１５を駆動するようにしてある。
【００３２】
可動指針型タイマＴは、図３に示すようにケース２１を備えており、このケース２１は、図６及び図７に示すように略円筒形状のケース本体２１Ａを有しており、このケース本体２１Ａの前面に四角形状の窓枠部２２が形成してあり、また、ケース本体２１Ａの後部には端子台形成部２１Ｂが形成してある。また、ケース本体２１Ａの下部には、時間仕様切替機構装着部２３とスライドスイッチの操作用孔部２９とが形成してある。時間仕様切替機構装着部２３には操作用孔部３０が形成してある。
【００３３】
窓枠部２２の前面部には、正面円環形状の係合用溝部２４と、正面四角枠形状の溝部２５と、パッキン装着部２６とが内側から外側に向かって形成してあり、窓枠部２２の外周面には複数の係止突起部２７が設けてある。また、窓枠部２２の４つの角部には、図６の（２）、図７の（３）に示すようにボルト挿通孔２８が形成してある。
【００３４】
そして、メインフレーム３１は、図８に示すように四角形状のプレート状のフレーム本体３１Ａを有しており、このフレーム本体３１Ａの４つの角部には、図８の（１）、（４）に示すようにボルト孔３２が形成してあり、また、フレーム本体３１Ａには、その中央部に孔部３３が、下部に窓部３４、３４Ａ、３４Ｂがそれぞれ設けてあり、フレーム本体３１Ａの背面部には４か所に基板取付用脚部３５が設けてある。また、フレーム本体３１Ａの背面部には、孔部３３を中心とした円環状の係合突起部３６と、一対の取付用ボス部３７とが形成してある。
【００３５】
そして、この係合突起部３６を窓枠部２２の係合用溝部２４に係合して、ケース２１の前面にメインフレーム３１が設けてある。この場合、ボルト孔３２にボルト挿通孔２８が一致している。そして、ボルト孔３２には、図２に示すようにタイマ取付用連結部材としての六角ボルトよりなる取付ボルト３２ー１が挿入係止してあり、この取付ボルト３２ー１はボルト挿通孔２８を貫通して裏方に突出している。そして、メインフレーム３１の前面部には目盛板１１が設けてある。この目盛板１１の下部には表示用窓１１Ａ、１１Ｂ、１１Ｃが設けてある。
【００３６】
そして、メインフレーム３１には、取付用ボス部３７を利用して，減速ギャ列１０、クラッチＫ、パルスモータ４、制御回路（モーター駆動回路９等）３及び時間仕様切替機構部３９の組立体が搭載してある。
【００３７】
また、前記クラッチＫの従動側に連結された支軸部２４０は、メインフレーム３１の中央部の孔部３３及び目盛板１１の中央の孔部１１Ｄを貫通して前方に突出しており、この支軸部２４０には可動指針２０が取り付けてある。この可動指針２０には、図９に示すように引っ掛け用突起２０ｃとゼロマグネット２０ｂとが設けてある。
【００３８】
また、制御回路３は、図３の（１）、（２）に示すように第１〜第６基板４０〜４５を備えており、第１基板４０にはパルスモータ４のモータ駆動回路９等が搭載してあり、第２、第３基板４１、４２には発振回路７、計数回路８等が搭載してあり、第４基板４３には電源回路２等が搭載してあり、第５基板４４にはクラッチ用電源回路２−１等が搭載してあり、更には、第６基板４５はクラッチＫのケースの前面部に設けてあり、この第６基板４５にはホール素子であるホールＩＣ２４−１等が搭載してある。
【００３９】
時間仕様切替機構部３９は、切替用回転部材４６と、切替用中間部材４７と、切替用表示部材４８と、切替用押えカバー４９とを備えており、切替用回転部材４６は、図１０の（１）〜（３）に示すようにその裏面中央に突設した係合脚部５０と、この係合脚部５０を中心とした円上に位置する複数の係止爪５１とを有しており、表面には十字状のドライバー挿入溝５２が形成してある。また、表面にはシール６２が張り付けてあり、このシール６２は周方向に５等分してあって、秒、分、時等の文字が表示してある。
【００４０】
また、切替用表示部材４８は、図１１の（１）〜（４）に示すように円筒状の部材本体４８Ａを有しており、この部材本体４８Ａの表面には係合溝５３が形成してあり、また、部材本体４８Ａの裏面中央には支軸５４が設けてあり、また、部材本体４８Ａの外周部には裏面側に寄せてギヤ部５５が形成してある。また、部材本体４８Ａの外周部には表面側に寄せて周方向を５等分する位置に位置決め用溝部５６が形成してあり、また、部材本体４８Ａの外周部にはシール５７が貼り付けてあり、このシール５７は周方向に５等分してあって、秒、分、時等の文字が表示してある。また、切替用表示部材４８の裏面には、図１１の（４）に示すように導電性の摺動子９６ａ、９６ｂ、９６ｃが取り付けてある。
【００４１】
また、切替用中間部材４７は、シール５７及び摺動子９６ａ、９６ｂ、９６ｃを除いた切替用表示部材４８と同構成である。
【００４２】
また、切替用押えカバー４９は、図１２の（１）〜（５）に示すように平板状のカバー本体４９Ａを有しており、このカバー本体４９Ａの両側部及び一端部には係止爪部５８ａを有する係止脚部５８が設けてあり、カバー本体４９Ａの面部には円形孔５９が一方端側に寄せて形成してある。また、カバー本体４９Ａの面部には、他方端側に寄せて片持ち形状の位置決め用フック６０が設けてある。
【００４３】
そして、切替用表示部材４８及び切替用中間部材４７とは、それぞれの支軸５４を、第５基板４４に設けた支承孔６１に回転可能に挿入して、前後に並べて配置してあり、切替用表示部材４８及び切替用中間部材４７とは、互いのギヤ部５５を噛み合わせている。また、切替用表示部材４８の裏面の摺動子９６ａ、９６ｂ、９６ｃが、第５基板４４に搭載してある切替用パターン（図示せず）に摺接していて、スイッチ部を構成している。
【００４４】
そして、切替用押えカバー４９は、その係止脚部５８を、第５基板４４に設けた係止孔（図示せず）に係止して、この第５基板４４に取り付けてあって、切替用表示部材４８及び切替用中間部材４７とを回転可能に保持している。この場合、位置決め用フック６０が位置決め用溝部５６に係止している。
【００４５】
そして、前記ケース２１に設けた時間仕様切替機構装着部２３の操作用孔部３０には、外方より、切替用回転部材４６の係合部５０と複数の係止爪５１とが挿入してあって、係止爪５１が操作用孔部３０の縁部の摺動可能に引っ掛けられており、係合部５０が切替用中間部材４７の係合溝５３に係合している。
【００４６】
そして、切替用回転部材４６を回転操作すると、切替用中間部材４７が回転し、この切替用中間部材４７にギヤ部５５で噛み合っている切替用表示部材４８が回転する。したがって、切替用回転部材４６において、この表面に表示された分（ｍｉｎ）なる文字を、ケース２１の時間仕様切替機構装着部２３の外面に設けた三角印６３に合わせると、切替用表示部材４８の外周部のシール５７に表示された分（ｍｉｎ）なる文字が、目盛板１１の下部の表示用窓１１Ａに位置する。この場合に、位置決め用フック６０が、分（ｍｉｎ）なる文字の位置の相当する位置決め用溝部５６に係止する。
【００４７】
ケース２１の窓枠部２２の前面部にはフロントカバー６５が、サイドカバー７５により取り付けてある。すなわち、このフロントカバー６５は、図１３の（１）〜（４）に示すように四角形状のカバー本体６５Ａを有しており、このカバー本体６５Ａの周部には周壁部６６が形成してあり、この周壁部６６の外周面には鍔部６７が形成してあって、この鍔部６７と、周壁部６６の外周面の鍔部６７より先側部分６８とでシール装着部６９が構成してある。また、周壁部６６の内周面には周方向に溝が形成してあって、先側部分６８が薄くしてあり、この部分が挿入突起部７０になっている。
【００４８】
また、カバー本体６５Ａの中央部には、円形孔７１と、この円形孔７１を中心としたボス部７２とが設けてあり、このボス部７２の外周部には段部よりなるパッキン装着部７３が形成してある。また、カバー本体６５Ａの中央部には、ボス部７２より外側に位置させて環状の座金受け部７４が形成してある。また、カバー本体６５Ａの内面には突起部７４Ａが形成してある。
【００４９】
サイドカバー７５は、図１４の（１）〜（４）に示すように中央に開口部７７を有する四角枠状のカバー本体７５Ａを有しており、このカバー本体７５Ａの周部には周壁部７６が形成してあり、周壁部７６には周方向に所定の間隔をおいて複数の係止孔７７Ａが形成してある。また、周壁部７６の開口部７７側の部位は湾曲しており、この湾曲部７８の内面には周方向に所定の間隔をおいて複数のリブ７９が形成してあり、これらのリブ７９に端部は押え部８０になっている。
【００５０】
そして、設定指針８１は、図１５の（１）〜（４）に示すようにその基部にボス部８２を有しており、このボス部８２には取付用孔部８３が形成してあり、また、指針部８４の基部には干渉突起部８５が形成してある。
【００５１】
また、摘み部材８６は、図１６の（１）〜（３）に示すようにその裏面８６ａの中央にねじ孔８７を有しており、また、裏面８６ａには、ねじ孔８７を中心にした円形状の摺接溝部８８が形成してある。
【００５２】
そして、フロントカバー６５の座金受け部７４に表面が波打つ座金９０を設け、フロントカバー６５のボス部７２のパッキン装着部７３にパッキン８９を装着した状態で、ボス部７２を摘み部材８６の摺接溝部８８に挿入し、また、設定指針８１のボス部８２を裏から円形孔７１に挿入し、設定指針８１の取付用孔部８３に取付ボルト９１を挿入して、この取付ボルト９１を摘み部材８６のねじ孔８７に螺合して、取付ボルト９１の締め付けにより、フロントカバー６５に摘み部材８６及び設定指針８１が回転可能に取り付けてある。
【００５３】
この場合、摘み部材８６の裏面８６ａに座金９０が当接して設定指針８１のトルクが適正に調整されている。また、パッキン８９が軸方向に圧縮力を受けないで保持されているために、パッキン８９が半径方向に広がらず、パッキン８９が適正な面圧で摺接溝部８８の外周面に摺接している。
【００５４】
そして、フロントカバ−６５のシール装着部６９に四角枠状のシール部材８１を装着して、このフロントカバ−６５の挿入突起部７０を、ケース２１の窓枠部２２の溝部２５に挿入し、フロントカバ−６５の周部にサイドカバ−７５を被せて、このサイドカバ−７５をケース２１側に押しつけて、リブ７９の押え部８０で鍔部６７を押し、シール部材８１を鍔部６７とパッキン装着部２６とで圧縮し、この状態で、サイドカバ−７５の係止孔７７Ａを、窓枠部２２の外周面の係止突起部２７に係止して、ケース２１の前面にフロントカバ−６５が、サイドカバー７５により取り付けてある。
【００５５】
前記クラッチＫの駆動源であるパルスモータ（ステッピングモータ）４は、図１７に示すように歯車状に加工された環状のロータ１０６と、このロータ１０６の外側に配置されてロータ１０６と対向した歯車状のステータ１０８から大略構成してある。
【００５６】
パルスモータ４は、電磁石の吸引力によりロータ１０６の突極を引きつけることで発生する回転力を利用している。したがって、このパルスモータ４は、無励磁のとき保持トルクを発生しない。ステップ角は、例えば８度である。実施例のパルスモータ４のステータ１０８は６つの突極それぞれに励磁コイル１０７が巻回してある。ロータ１０６は８つの突極１０６Ａを備えている。
【００５７】
前記パルスモータ４の駆動制御部（制御回路３）を図１８に示す。この駆動制御部は、パルスを発生する発振回路７と、タイマの時限設定に見合った時限設定出力を出力する時限設定回路としての時間仕様切替手段である時間仕様切替スイッチ８Ａと、この時間仕様切替スイッチ８Ａからの時間仕様設定に対応した周波数のクロックパルスＣＰを基に、クロックパルスＣＰに応答して駆動信号Ｓ１、Ｓ２、Ｓ３を発生する計数回路８と、駆動信号Ｓ１、Ｓ２、Ｓ３によってオン作動する第１、第２、第３のモータ駆動トランジスタＴｒ１、Ｔｒ２、Ｔｒ３とからなるモータ駆動回路９とで大略構成してある。
【００５８】
このような駆動制御部において、計数回路８は、そのクロックパルスＣＰに応答して駆動信号Ｓ１、Ｓ２、Ｓ３を順次出力して、各駆動信号Ｓ１、Ｓ２、Ｓ３は対応する第１、第２、第３のモータ駆動トランジスタＴｒ１、Ｔｒ２、Ｔｒ３のそれぞれのベースに与えられる。第１、第２、第３のモータ駆動トランジスタＴｒ１、Ｔｒ２、Ｔｒ３は、各駆動信号Ｓ１、Ｓ２、Ｓ３に対応してオン作動し、ステータ１０８の励磁コイルＮ１＋、Ｎ１−；Ｎ２＋、Ｎ２−；Ｎ３＋、Ｎ３−に電流が流れ、パルスモータ４は起動力を与えられて回転する。
【００５９】
この場合、ステータ１０８の対向する突極同士に巻回されている励磁コイルＮ１＋とＮ１−（第１のモータ駆動トランジスタＴｒ１側）、励磁コイルＮ２＋とＮ２−（第２のモータ駆動トランジスタＴｒ２側）、励磁コイルＮ３＋とＮ３−（第３のモータ駆動トランジスタＴｒ３側）はそれぞれ互いに直列に接続されている。
【００６０】
また、前記計数回路８は、ホールＩＣ２４−１からの零点位置検出信号の入力に応答してその駆動信号の出力を停止する。この停止によって、パルスモータ４はその回転を停止し、無励磁状態になり、保持トルクの無い状態となる。そして、ホールＩＣ２４−１とゼロマグネット２０ｂとで検出手段１３Ａを構成している。この検出手段１３Ａはフォトセンサ、エンコーダ、リーフスイッチ等で構成してもよい。
【００６１】
上記のように構成された可動指針型タイマＴは、図３に示すようにケース２１の窓枠部２２の裏面部において、取付板１１０との間に防水パッキン１１１を介在した状態でタイマ取付用ボルト３２ー１により取付板１１０に取り付けられる。
【００６２】
この場合には、ケース２１の窓枠部２２の裏面部より突出している取付ボルト３２ー１を取付板１１０に設けた孔（図示せず）に挿入して、取付ボルト３２ー１にナット（図示せず）を取り付け、このナットを締め付けることにより行われる。したがって、電源回路２とモータ制御回路９とパルスモータ４とクラッチＫとの重量がすべてメインフレーム３１を介して取付板１１に加わり支えられて、ケース２１には前記重量が加わらないために、このケース２１を、肉厚の薄い小型にすることができ、可動指針型タイマＴ自体を小型化、軽量化することができる。
【００６３】
次に、上記のように構成された可動指針型タイマＴの作動を説明する。
前記設定指針８１と可動指針２０とが重なりあい、共に目盛り表示の０を指している状態で、前記摘み部材８６を指で摘んで、この摘み部材８６を捻ることにより設定指針８１を回転させて、所定の時刻、例えば３０秒の位置（目盛り表示が３０の位置）に移動させると、この設定指針８１に設けた連れ回り機構部、すなわち、設定指針８１の干渉突起部８５が可動指針２０の引っ掛け用突起２０ｃに干渉することにより、前記可動指針２０が設定指針８１と共に移動して目盛り表示が３０のところに位置する。
【００６４】
このように、前記設定指針８１と可動指針２０とを設定時限に対応して操作することにより、制御回路３に設定時限に対応する所要時限のデータを与える。制御回路（時間仕様切替スイッチ８Ａ）３からは、この操作に対応した設定信号が計数回路８に与えられる。
【００６５】
前記計数回路８は、上記のような所要時限に対応した周波数に設定されたクロックパルスＣＰの入力に応答して駆動信号Ｓ１、Ｓ２、Ｓ３をそれぞれ第１、第２、第３のモータ駆動トランジスタＴｒ１、Ｔｒ２、Ｔｒ３に順次出力していく。これによって、パルスモータ４のステータ１０８の突極に巻回されている励磁コイルＮ１＋、Ｎ１−；Ｎ２＋、Ｎ２−；Ｎ３＋、Ｎ３−に電流が流れ、パルスモータ４のロータ１０６が回転し、この回転により、締結状態のクラッチＫを介して、このクラッチＫの従動側に設けられた支軸部２４０に取り付けられた可動指針２０が設定時限位置（時間表示３０の位置）から零点位置に向けて移動を開始すると共に、指針復帰ばね（図示せず）も同時に巻き込まれて復元エネルギーを蓄積していく。可動指針２０はパルスモータ４の回転速度に合わせて移動するが、その場合、設定時限位置と零点位置との間をその時限に合わせた時間をかけて移動することになる。
【００６６】
そして、可動指針２０が零点位置に到達すると、クラッチＫの従動側に設けられたゼロマグネット２０ｂがホールＩＣ２４−１に対向した位置に来る結果、ホールＩＣ２４−１は零点位置検出信号を制御回路（計数回路８）３に出力する。この計数回路８は、この零点位置検出信号の入力に応答して駆動信号Ｓ１、Ｓ２、Ｓ３に出力を停止するから、可動指針２０が零点位置に到達すると同時にパルスモータ４は無励磁の状態になり、保持トルクがなくなる。
【００６７】
また、可動指針２０が零点位置に到達すると同時に、前記クラッチＫの結合状態が解除されて、指針復帰ばねの復元力により可動指針２０は設定指針８１のところまで移動する。この設定指針８１は可動指針２０のストッパとしても機能するから、可動指針２０は設定指針８１の位置に停止する。
【００６８】
また、可動指針２０が設定指針８１の位置まで移動すると、ゼロマグネット２０ｂはホールＩＣ２４−１と対向しなくなるから、前記制御回路（計数回路８）３にはホールＩＣ２４−１から零点位置検出信号が与えられなくなり、これによって、計数回路８は再び駆動信号Ｓ１、Ｓ２、Ｓ３を出力してパルスモータ４を駆動する。
【００６９】
これと同時に、前記クラッチＫの結合が行われ、前記パルスモータ４が駆動されると、可動指針２０が設定時限位置（時間表示３０の位置）から零点位置に向けて移動を開始すると共に、指針復帰ばねも同時に巻き込まれて復元エネルギーを蓄積していく。
【００７０】
【発明の効果】
以上説明したように、請求項１の発明に係る可動指針型タイマによれば、時間仕様の切替が外部より行うことができて、切替操作を容易に行うことができる。しかも、パルスモータの回転を変更して時間仕様を変える場合には、計数回路で、発振回路の出力を時間仕様切替手段に応じたパルスに変換し、モータ駆動回路に入力すればよく、従来例における減速機の減速比を変えて時間仕様を変更する場合に比べて、変更した時間表示との連動が容易になり、また、ギヤの追加等のようなことがなく機構的に簡素化することができる。
【００７１】
また、請求項２の発明に係る可動指針型タイマにあっては、上記した請求項１の発明に係る可動指針型タイマの作用効果と同様な作用効果を奏し得るばかりか、切替用回転部材を回転操作すると、切替用表示部材が回転する。したがって、切替用回転部材において、この表面に表示された分（ｍｉｎ）なる文字を、例えば、ケースの外面に設けた三角印に合わせると、切替用表示部材の周部に表示された分（ｍｉｎ）なる文字が、目盛板の表示用窓に表出する。
【００７２】
これと同時に、スイッチ部が時間仕様用の切替パターンを切り替えて、計数回路によりパルス駆動信号のパルスを変更してモータ駆動回路に入力する。
【００７３】
このように、従来例における減速機の減速比を変えて時間仕様を変更する場合に比べて、変更した時間表示との連動が容易になり、また、ギヤの追加等のようなことがなく機構的に簡素化することができる。
【００７４】
また、請求項３の発明に係る可動指針型タイマにあっては、切替用回転部材を回転操作すると、切替用中間部材が回転し、切替用表示部材が回転する。したがって、切替用回転部材において、この表面に表示された分（ｍｉｎ）なる文字を、例えば、ケースの外面に設けた三角印に合わせると、切替用表示部材の周部に表示された分（ｍｉｎ）なる文字が、目盛板の表示用窓に表出する。これと同時に、スイッチ部が時間仕様用の切替パターンを切り替えて、計数回路によりパルス駆動信号のパルスを変更してモータ駆動回路に入力する。
【００７５】
このように、従来例における減速機の減速比を変えて時間仕様を変更する場合に比べて、変更した時間表示との連動が容易になり、また、ギヤの追加等のようなことがなく機構的に簡素化することができる。
【００７６】
また、切替用回転部材は切替用中間部材に連結されており、時限設定用の切替パターンを切り替えるスイッチ部は切替用表示部材に設けてあるために、外部から切替用回転部材を操作すべく、この切替用回転部材を押圧・回転させても、スイッチ部には押圧・回転力が直接に作用することがなく、このスイッチ部の故障等を防止することができる。また、切替用中間部材があることにより、切替用回転部材の切り替え操作位置から切替用表示部材の表示位置との間の距離が大きくなって、切替用回転部材の切り替え操作をケースの外から行うことに相俟って、この操作が容易になる。
【００７７】
また、請求項４の発明に係る可動指針型タイマにあっては、切替用回転部材を回転操作すると、切替用中間部材が回転し、この切替用中間部材にギヤ部で噛み合っている切替用表示部材が回転する。したがって、切替用回転部材において、この表面に表示された分（ｍｉｎ）なる文字を、例えば、ケースの外面に設けた三角印に合わせると、切替用表示部材の周部に表示された分（ｍｉｎ）なる文字が、目盛板の表示用窓に表出する。この場合に、位置決め用フックが、分（ｍｉｎ）なる文字の位置の相当する位置決め用溝部に係止する。
【００７８】
これと同時に、前記摺動子が基板に搭載した時間仕様切替用の切替パターンに摺接して切替パターンを切り替えて、計数回路によりパルス駆動信号のパルスを変更してモータ駆動回路に入力する。
【００７９】
このように、従来例における減速機の減速比を変えて時間仕様を変更する場合に比べて、変更した時間表示との連動が容易になり、また、ギヤの追加等のようなことがなく機構的に簡素化することができる。
【図面の簡単な説明】
【図１】本発明に係る可動指針型タイマの正面図である。
【図２】同可動指針型タイマの前部の側面図である。
【図３】（１）は同可動指針型タイマの縦断面図である。
（２）は基板構成の斜視図である。
【図４】同可動指針型タイマの内部構造のブロック図である。
【図５】可動指針型タイマの内部構造のブロック図である。
【図６】（１）は同可動指針型タイマのケースの側面図である。
（２）は同ケースの正面図である。
【図７】（１）は同ケースの横断面図である。
（２）は同ケースの縦断面図である。
（３）は図６の（２）のイ−イ線に沿う断面図である。
【図８】（１）は同可動指針型タイマのメインフレームの正面図である。
（２）は同メインフレームの縦断面図である。
（３）は同メインフレームの裏面図である。
（４）は（１）のロ−ロ線に沿う断面図である。
【図９】（１）は可動指針の断面図である。
（２）は同可動指針の側面図である。
（３）は同可動指針の平面図である。
（４）は同可動指針の裏面図である。
【図１０】（１）は切替用回転部材の平面図である。
（２）は同切替用回転部材の裏面図である。
（３）は同切替用回転部材の断面図である。
【図１１】（１）は切替用表示部材の平面図である。
（２）は同切替用表示部材の側面図である。
（３）は同切替用表示部材の断面図である。
（４）は同切替用表示部材の裏面図である。
【図１２】（１）は切替用押えカバーの平面図である。
（２）は同切替用押えカバーの側面図である。
（３）は同切替用押えカバーの裏面図である。
（４）は同切替用押えカバーの正面図である。
（５）は（１）のハ部分の拡大図である。
【図１３】（１）はフロントカバーの正面図である。
（２）は同フロントカバーの側面図である。
（３）は（１）のニ−ニ線に沿う断面図である。
（４）は同フロントカバーの裏面図である。
【図１４】（１）はサイドカバーの正面図である。
（２）は同サイドカバーの側面図である。
（３）は（１）のホ−ホ線に沿う断面図である。
（４）は同サイドカバーの裏面図である。
【図１５】（１）は設定指針の側面図である。
（２）は同設定指針の平面図である。
（３）は（２）のヘ−ヘ線に沿う断面図である。
（４）は同設定指針の裏面図である。
【図１６】（１）は摘み部材の裏面図である。
（２）は（１）のト−ト線に沿う断面図である。
（３）は同摘み部材の平面図である。
【図１７】パルスモータの斜視図である。
【図１８】パルスモータの駆動制御部のブロック図である。
【図１９】従来の可動指針型タイマの要部の斜視図である。
【符号の説明】
３    制御回路
４    パルスモータ
６    表示部
７    発振回路（発振手段）（制御回路）
８    計数回路（計数手段）
８Ａ  時間仕様切替スイッチ（時間仕様切替手段）（制御回路）
９    モータ駆動回路（制御回路）
４７  切替用中間部材
４８  切替用表示部材
４９  切替用押えカバー
５４  支軸
５５  ギヤ部
５６  位置決め用溝部
６０  位置決め用フック
９６ａ〜９６ｃ  摺動子
【図１】
0003774997.tif 000002
【図２】
0003774997.tif 000003
【図３】
0003774997.tif 000004
【図４】
0003774997.tif 000005
【図５】
0003774997.tif 000006
【図６】
0003774997.tif 000007
【図７】
0003774997.tif 000008
【図８】
0003774997.tif 000009
【図９】
0003774997.tif 000010
【図１０】
0003774997.tif 000011
【図１１】
0003774997.tif 000012
【図１２】
0003774997.tif 000013
【図１３】
0003774997.tif 000014
【図１４】
0003774997.tif 000015
【図１５】
0003774997.tif 000016
【図１６】
0003774997.tif 000017
【図１７】
0003774997.tif 000018
【図１８】
0003774997.tif 000019
【図１９】
0003774997.tif 000020